(57)【特許請求の範囲】
【請求項１】
表示板と、
前記表示板から表面側に上端部が突出し、モータからの回転力がギアを介して伝達されて回転する回転軸と、
前記回転軸の上端に設けられ、前記表示板の表面側に沿って回動する指針と、
前記表示板の裏面側の、前記回転軸の下端部から内部を上方へ向けて進行し前記指針から発光照明させる照明光を出射する光源と、
を備え、
前記ギアが、前記回転軸と一体成形によって形成され、
前記指針が回動して各種情報を指示するとともに発光するメータ装置の照明構造であって、
前記回転軸は、前記ギアと部分的に接触した構造を有することを特徴とするメータ装置の照明構造。
【請求項２】
前記回転軸は、透光材料で中実形状に構成されているとともに、前記照明光が前記回転軸内部の、外周面との界面部分で反射しながら回転軸の内部を伝搬するように構成されていることを特徴とする請求項１に記載のメータ装置の照明構造。
【請求項３】
前記回転軸が中空状のものから構成されているとともに、前記照明光が前記回転軸の内周面で反射しながら伝搬するように構成されていることを特徴とする請求項１に記載のメータ装置の照明構造。
【発明の詳細な説明】
【技術分野】
【０００１】
本発明は、車両等に搭載されるメータ装置に係り、特に、導光軸の発光効率が損なわれるのを効果的に抑制することができるメータ装置の照明構造に関するものである。
【背景技術】
【０００２】
車両等に搭載されるこの種のメータ装置においては、一般に、指針、文字、数字、及び目盛り等が設けられた文字板を裏面側から専用の光源などで照明したり、文字板の文字や数字などを指し示す指針を照明したりしている(例えば、特許文献１参照)。
【０００３】
即ち、このメータ装置には、図８に示すように、文字板１０１の下の計器ボックス１０２内に、光源１０３と、この光源１０３からの光を導光させるとともに上端部に指針１０５を一体に取付けた導光材料で形成された指針軸１０４と、この指針軸１０４を回転自在に支持する軸受け１０６、１０７と、指針軸１０４に一体に形成されて図示外のステッパモータ等からの回転力が伝達されて指針１０５を回動させるギア１０８と、指針１０５内部の、光源１０３からの光が導光される導光路の一部に設けた放物線型の反射鏡１０９と、を備え、指針１０５が発光照明されるように構成されているものが知られている。なお、図中符号１１０は基板を示す。
【０００４】
このメータ装置１００では、前述の指針軸１０４に、導光材料で形成された導光軸１０４Ａと、この導光軸１０４Ａの外周面に塗布した導光軸１０４Ａ内部の光の漏出を防止する保護膜１０４Ｂとを備えている。
【先行技術文献】
【特許文献】
【０００５】
【特許文献１】独国特許出願公開第１９５３８５４７号明細書
【発明の概要】
【発明が解決しようとする課題】
【０００６】
ところが、このメータ装置１００では、指針軸１０４とギア１０８とが一体に形成されている構成の場合、指針軸１０４の下部に臨んで設けた光源からの光は、指針軸１０４の上端部まで反射（正反射又は全反射）等を起こしながら導光されていく途中で、その一部がギア１０８の内部に入り込んで外部へ漏れてしまうことがある。その結果、指針１０５での発光効率が大幅に低下するといった不都合を生じる場合がある。
【０００７】
本発明は、上述した事情に鑑みてなされたものであり、その目的は、指針の発光効率が大きく損なわれることがなく、指針まで効率的に照明光を伝搬させることができるメータ装置の照明構造を提供することにある。
【課題を解決するための手段】
【０００８】
前述した目的を達成するために、本発明に係るメータ装置の照明構造は、下記（１）から（３）を特徴としている。
（１）  表示板と、
前記表示板から表面側に上端部が突出し、モータからの回転力がギアを介して伝達されて回転する回転軸と、
前記回転軸の上端に設けられ、前記表示板の表面側に沿って回動する指針と、
前記表示板の裏面側の、前記回転軸の下端部から内部を上方へ向けて進行し前記指針から発光照明させる照明光を出射する光源と、
を備え、
前記ギアが、前記回転軸と一体成形によって形成され、
前記指針が回動して各種情報を指示するとともに発光するメータ装置の照明構造であって、
前記回転軸は、前記ギアと部分的に接触した構造を有すること。
（２）  上記（１）に記載のメータ装置の照明構造において、
前記回転軸は、透光材料で中実形状に構成されているとともに、前記照明光が前記回転軸内部の、外周面との界面部分で反射しながら回転軸の内部を伝搬するように構成されていること。
（３）  上記（１）に記載のメータ装置の照明構造において、
前記回転軸が中空状のものから構成されているとともに、前記照明光が前記回転軸の内周面で反射しながら伝搬するように構成されていること。
【０００９】
上記（１）に記載のメータ装置の照明構造によれば、回転軸内部で反射する照明光の一部が接触するギア側に入射し屈折していく場合でも、双方の接触面積を抑えてある。従って、接触部分からギア側への漏光を抑えることができ、指針の発光効率が大きく損なわれることがなく、指針まで効率的に照明光を伝搬させることができる、メータ装置の照明構造を提供できる。
上記（２）に記載のメータ装置の照明構造によれば、回転軸内部で全反射する照明光の一部がこの回転軸と接触するからギア側に入射し屈折していく場合でも、双方の接触面積を抑えてある。従って、接触部分からギア側への漏光を最小限に抑えることができ、指針の発光効率が大きく損なわれることがなく、指針まで効率的に照明光を伝搬させることができる、メータ装置の照明構造を提供できる。
上記（３）に記載のメータ装置の照明構造によれば、回転軸内部で正反射する照明光の一部が接触するギア側に入射し屈折していく場合でも、双方の接触面積を抑えてある。従って、接触部分からギア側への漏光を抑えることができ、指針の発光効率が大きく損なわれることがなく、指針まで効率的に照明光を伝搬させることができる、メータ装置の照明構造を提供できる。
【発明の効果】
【００１０】
本発明のメータ装置の照明構造によれば、回転軸内部で反射しながら伝搬する照明光の一部が、回転軸との接触領域からギア側に入射して内部に進行しても、接触領域を抑えているのでその接触領域からギア側への漏光も抑えることができる。その結果、指針の発光効率が大きく損なわれることがなく、指針まで効率的に照明光を伝搬させることができる。
【００１１】
以上、本発明について簡潔に説明した。更に、以下に説明される発明を実施するための形態を添付の図面を参照して通読することにより、本発明の詳細は更に明確化されるであろう。
【図面の簡単な説明】
【００１２】
【図１】本発明の第１の実施形態に係る照明構造が適用された照明装置を示す分解斜視図である。
【図２】そのメータ装置の斜視図である。
【図３】図２のメータ装置におけるＩＩＩ−ＩＩＩ線矢視断面図である。
【図４】（Ａ）は図２のメータ装置の回転軸と出力ギアとの接触状態を示す斜視図、（Ｂ）はその平面図である。
【図５】（Ａ）は図４（Ａ）におけるα部の拡大斜視図、（Ｂ）は図４（Ｂ）におけるβ部の拡大斜視図である。
【図６】本発明の第１の実施形態に係る照明構造が適用された回転軸内部を進行する照明光の光路を示す説明図である。
【図７】本発明の第２の実施形態に係る照明構造が適用された回転軸内部を進行する照明光の光路を示す説明図である。
【図８】従来の照明構造を示すメータ装置の断面図である。
【発明を実施するための形態】
【００１３】
以下、本発明の実施形態について、添付図面を参照しながら詳細に説明する。
（第１の実施形態）
図１から図３は、本発明の照明構造が適用されたメータ装置１を示すものである。
このメータ装置１は、基板２の上に実装された光源３、この光源３が搭載された領域を含む基板２の上の所定の場所に取付けられた図３に示すメータケース４と、このメータケース４の上部に設置された、数字、文字、記号など、車自体或いは車周辺の環境などに関する必要情報を表示する表示板９（図３参照）と、を有する。
なお、図３における符号９は、表示板９が設置される設置位置の高さを模式的に示すものであって、表示板９の実際の断面形状を示すものではない。
【００１４】
本実施形態のメータ装置１は、コンビネーションメータの一部を構成しており、表面側を形成する表示板９は、見返し板で覆われている。また、この見返し板には、メータ装置１を含む各種計器類を設置するための各種表示窓を開口させており、側面及び背面側を構成するコンビネーションメータケースと一体化されている。更に、この表示板９と見返し板は、黒色系などの透明なカバーガラスで上部が覆われている。
【００１５】
なお、本実施形態のメータ装置１は、速度計を構成しており、図示しないセンサによって検出された速度に対応したセンサ信号に基づき、図示外の指針を所定角度だけ回動させ、表示板９に形成された特定の目盛を指し示す。
【００１６】
本実施形態の光源３は、所定波長（λ）の可視光を出射する例えばＬＥＤ（Light Emitting Diode；発光ダイオード）で構成されており、この光源３から出射する光（以下、照明光とよぶ）が、位相角度に方向依存性のない、均一な出射特性のものが使用されている。即ち、本実施形態の光源３では、水平面（Ｘ−Ｙ平面）方向に関しては全周に亘り、略均一な光量を回転軸８へ出射する光量分布特性を有する。なお、本実施形態の光源３としては、特にこのＬＥＤに限定されるものではないが、消費電力が少なく小型の点光源であるものが好ましい。
【００１７】
メータケース４は、基板２に固設された下ケース４Ａと、この下ケース４Ａに積層されてネジ固定された上ケース４Ｂとで構成されている。このメータケース４の内部には、モータ５と、中間ギア６と、出力ギア７と、回転軸８と、図示外の指針と、を備えている。
【００１８】
モータ５は、指針を回動させるためのものであり、中間ギア６及び出力ギア７を介して回転軸８を回動させることにより、表示板５の表面に沿って指針を回動させ、必要な各種情報を指し示すようになっている。本実施形態のモータ５は、適宜の導電性材料で形成されたステータ５１と、このステータ５１の開口された内部の回転軸５２Ａに取り付けられたロータ５２と、を備えており、ステッパモータを構成している。
【００１９】
ステータ５１は、下ケース４Ａに固定されており、開口された内部に磁極となる磁芯５１Ａ、５１Ｂが突設されている。この磁芯５１Ａ、５１Ｂには、コイル５４を巻装させたボビン５３が装着されている。
【００２０】
ロータ５２は、適宜の磁性材料で略円筒形状に形成されてステータ５１の開口された内部に回転自在に設置されており、上部にはロータギア５５が同芯状に固設されている。なお、ロータ５２を取付けた回転軸５２Ａは、下ケース４Ａに設けた軸受け５２Ｂに回転自在に軸支されている。
【００２１】
中間ギア６は、支軸６Ａに固着されており、この支軸６Ａが下ケース４Ａに設けた軸受け６Ｂに回転自在に軸支されている。この中間ギア６は、外周に設けた歯数の多い大歯６１が、ロータ５２の上部に設けた小さなロータギア５５の小歯に噛合しており、ロータ５２からの回転速度（回転力）が減速されて伝達される。また、この中間ギア６には、図３に示すように、歯数の少ない小径のピニオン６２が支軸６Ａに同軸的に固着されている。
【００２２】
出力ギア７は、中間ギア６のピニオン６２からの回転力を回転軸８に伝達させるのに必要な最小限の接触面積で回転軸８に接触させるように構成されている。即ち、本実施形態の出力ギア７は、図４及び図５に示すように、回転軸８が中心部を貫通するように貫通孔７１が穿設されており、特に本実施形態では、９０度の位相間隔を保持して溝７２が貫通孔７１の内周面に等角的に４か所穿設されている。これによって、出力ギア７は、回転軸８の外周面に対して部分的に断続した接触構造を有するようになっている。
【００２３】
出力ギア７は、図４及び図５に示すような溝７２を設けることで、回転軸８の外周面と出力ギア７の貫通孔７１との接触面積を削減させており、必要最低限の回転力を回転軸へ伝達させる最小回転力伝達手段を構成させている。即ち、回転軸８は、出力ギア７に対して相対的に滑動（空滑り）することなく同一角速度で一体に回転する構造となっている。
【００２４】
しかも、出力ギア７は、このような溝７２を設けることで、回転軸８内部を伝搬する後述の照明光が、上述の接触部分から出力ギア７の内部に漏光するのを最小限に抑えることも可能となる。なお、この溝７２の穿設箇所は、特にこの４つに限定されるものではなく、適宜の箇所が可能である。また、この出力ギア７と回転軸８との最小回転力伝達手段としては、特にこの実施形態のものに限定されるものではなく、各種の形状や構成が可能である。
【００２５】
また、この出力ギア７は、この貫通孔７１が回転軸８の外周面との接触面積を必要最小限に抑えるようにするため、所定の強度を確保することを条件として、できる限りその厚さ（ｔ）を薄く形成した構成となっている。これにより、回転軸８から出力ギア７への照明光の漏れを最小限に抑える構造となっているわけである。
【００２６】
また、この出力ギア７は、外周に設けた歯数の多い大歯７３が、中間ギア６の下部に設けたピニオン６２の小歯に噛合しており、中間ギア６の回転速度がさらに減速されて伝達され、回転する。このため、この出力ギア７に接触する回転軸８は、大幅に減速された出力ギア７と共に、同一角速度で一体に回動する。
【００２７】
回転軸８は、透光材料で形成された中実で略円筒形状を有するもので構成されている。また、この回転軸８は、上部側が上ケース４Ｂの軸孔４１からケース４の外部に突出しており、表示板９の表面に突出する。この回転軸８は、上端部に図示外の指針が取り付けられているとともに、下端部が下ケース４Ａに設けた軸受け８Ａに回転自在に軸支されている。
【００２８】
また、この回転軸８の下端面は、図６に示すように、光源３の直上に位置するように設けられており、光源３からの照明光が入射すると、回転軸８の内部を導光されて上端部へ伝搬していく。このため、回転軸８では、この内部の外周面８２との界面部分（各点Ｐ）において、上述の照明光が全反射しながら上端部まで進行するように構成している。この場合、回転軸８の外周面８２との界面部分での全反射現象を効率的に発生させるために、別言すれば、その外周面８２に対して入射角度θが固有の臨界角を常時上回るような方向で入射させるようにするため、下端面は中心部（点Ｑ）から周縁部に向けて傾斜させる構成としている。
【００２９】
さらに、この回転軸８には、光源３からの出射光を下端部の入射面においてできるだけ広範囲から入射させる一方、細くてシャープな指針の形状特性から、この指針を取付ける上端部はある程度細い外径寸法であることが好ましい。このような事情から、回転軸８は、上部側の外径寸法を小さくするとともに、下部側の外径寸法を大きくし、かつ、これらの外径寸法差を吸収させるため、途中部分にはテーパ状となるような傾斜面８１を形成してある。尚、上記途中部分を必ずしもテーパ状にする必要はない。
【００３０】
次に、本実施形態の作用について説明する。なお、ここでのメータ装置１の説明は、各計器類のうちスピードメータを例に挙げてその作用を説明するが、特にこれに限定されるものではない。また、この作用については、他のアナログタイプのメータ装置の場合でも同様である。
【００３１】
メータ装置１のメータケース４の内部に設けたモータ５が、図示しないセンサによって検出された現在速度に対応するセンサ信号に基づいて回転駆動し、図示外の指針を所定角度だけ回動し、表示板９に形成された特定の目盛を指示する。
即ち、本実施形態のメータ装置１は、図示しないセンサによって検出された速度に対応したセンサ信号が、図１に示すステータ５１側のコイル５４に流れることで各磁極となる磁芯５１Ａ、５１Ｂに磁力が発生し、この磁力によりロータ５２が回転する。
【００３２】
これにより、図３に示すように、ロータ５２と一体のロータギア５５から中間ギア６の大歯６１に回転力が減速されて伝達し、中間ギア６及びこれを軸支する支軸６Ａが所定の角速度で回転する。そして、中間ギア６のピニオン６２から出力ギア７及び回転軸８に回転力がさらに減速されて伝達され、出力ギア７及び回転軸８が所定の角速度で回転する。これによって、回転軸８の上端部に取付けた図示外の指針が所定角度だけ回動され、指針の先で表示板９上の特定の目盛を指し示す。これによって、現在速度を運転者などにアナログ表示させて知らせることができる。
【００３３】
このような速度表示を行うメータ装置１にあっては、同時に、光源３から全周に亘って出射した照明光が、図６に示すように、光源３の直上に配置する回転軸８の下端部である入射面８３から入射する。すると、この入射面８３から回転軸８の内部に入射した照明光の大部分は、回転軸８の内部の外周面８２との界面部分（各点Ｐ）において、臨界角を超える大きな入射角度θで入射し、そこで全反射現象を起こして回転軸８内部の上方へ向けて進行していく。
【００３４】
このように、照明光は、回転軸８の内部において、外周面８２に対して大きな入射角度で入射して、同様の全反射を起こしながら上方へ進行する伝搬現象を繰り返し、最終的に回転軸８の上端部から図示外の指針へ入射することで、指針を発光照明させることができる。このような照明光の回転軸８内部での伝搬作用は、勿論、回転軸８が回動動作中であっても、静止状態の場合と何らの変わりなく全く同様に行われるわけである。
【００３５】
また、この回転軸８を進行途中の照明光は、出力ギア７との接触部分で一部の光が漏出する可能性があり、その場合の漏出光量は双方の接触面積に比例するが、本実施形態では接触面積を半減させる構成となっている。従って、接触部位から出力ギア７へ漏光する光量も半減する。
【００３６】
このような出力ギア７への漏光は、回転軸８と出力ギア７の双方の屈折率が同一の場合に発生するものであるが、例えば出力ギア７の方が屈折率が小さい場合には、双方の接触部分における回転軸８の内周面での入射角度が臨界角を超えていると、接触界面では同様に全反射条件が満たされるので漏光することはなく、全反射して回転軸８の内部を上方へ進行していく。他方、出力ギア７の方が屈折率が大きい場合には、照明光のうちの所定の割合のものが双方の接触界面部分で屈折して出力ギア７の内部へ入射進行する一方、残りの照明光が双方の接触界面部分でフレネル反射を起こして回転軸８の内部を上方へ進行していく。なお、その割合については、屈折率等のパラメータで一意に決定されるがここでは説明を省略する。
【００３７】
従って、本実施形態によれば、回転軸８は出力ギア７との接触領域が大幅に削減されており、大部分の照明光が回転軸８内部から接触領域を介して出力ギア７の方向へ漏光することがない。このため、指針の発光効率が大きく損なわれることのない、良好な照明効率の照明構造を備えたメータ装置１が提供可能となる。
【００３８】
（第２の実施形態）
次に、本発明の第２の実施形態について図面を参照しながら説明する。なお、本実施形態において、第１の実施形態と同一部分には同一符号を付して重複説明を避ける。
本発明の照明構造が適用された本実施形態のメータ装置が、第１の実施形態のメータ装置と異なる点は、回転軸１０の内部が空洞である点と、光源１１として垂直上方に向けて小パワーのレーザ光を出射する、面発光型半導体レーザ素子（VCSEL；Vertical-Cavity Surface-Emitting Laser diode）を用いている点である。
【００３９】
回転軸１０は、図７に示すように、空洞部分（以下、空洞部１０Ｄとよぶ）を囲むようにして内周面１０Ａが同芯状に形成されているが、内周面１０Ａと外周面１０Ｃとの間の断面リング状の部分（以下、リング部１０Ｂとよぶ）の方が内周面１０Ａよりも内側の空洞部（つまり空気）１０Ｄに比べて、勿論、屈折率が大きい。このため、回転軸１０の空洞部１０Ｄにおいてリング部１０Ｂの内周面１０Ａとの界面Ｐ１では、空洞部１０Ｂの方が屈折率が小さいので、全反射条件が満たされることがなく、全反射現象を起こすことがない。
【００４０】
光源１１は、指向性の強いレーザ光（以下、照明光とよぶ）であって、高い割合で直上方向へ面発光する構成であるので、殆ど大部分の照明光は直上部分の回転軸８内部の特に空洞部１０Ｄをほぼ真直ぐの状態で上方（Ｚ方向）の上端部へと進行していくことができる。
【００４１】
次に、本実施形態の作用及び効果について説明する。
回転軸１０の下端部から空洞部１０Ｄに入り込んできた光源１１からの照明光は、図７にＲ１で示すような光路などを進行する、指向性の強いレーザ光が使用されている。このように、光源１１からの照明光は、空洞部１０Ｄをほぼ真直ぐの状態で上（Ｚ）方向の上端部へ進行していくことができるので、回転軸１０と出力ギア７との接触部分から出力ギア７へ屈折してその内部へ進行する漏洩光の発生が抑えられる。これにより、光源１１からの照明光の殆どを指針へ伝搬させることができるわけである。その結果、指針での発光効率が大きく損なわれることのない、メータ装置の照明構造が実現できる。
【００４２】
また、光源１１からの照明光において、ごく一部のレーザ光であるが、図７に光路Ｒ２で示すような垂直上（Ｚ）方向からずれた方向へ進行する照明光（以下、周辺光とよぶ）が発生した場合には、空洞部１０Ｄにおいてリング部１０Ｂの内周面１０Ａとの界面Ｐ１で全反射条件を満たすことがない。従って、その周辺光が内周面１０Ａに入射すると、その後の光路は、
ａ）界面Ｐ１で正反射するものと、
ｂ）回転軸１０の界面Ｐ１から入射してリング部１０Ｂの内部に向けて屈折するものと、
のいずれかに分かれて進行する。また、回転軸１０では、この内部での周辺光の吸収が近似的に無視できる程度に小さいものとする。
【００４３】
そして、ｂ）の場合には、さらにその周辺光は、
ｃ）回転軸１０のリング部１０Ｂの内部１０Ｂを進行し、その後、外周面１０Ｃの界面にて全反射して回転軸１０の内部へ戻っていくものと、
ｄ）回転軸１０のリング部１０Ｂの内部１０Ｂを進行し、その後、外周面１０Ｃの界面にて屈折して回転軸１０の外部へ逃げていくものと、
に分かれる。この場合にも、その分光比は各媒体の材質の屈折率や入射角度などのパラメータによって変化する。
【００４４】
また、ｃ）の全反射が発生する場合であっても、
ｅ）回転軸１０と出力ギア７とが接触する部分では、その全反射現象が発生せずに出力ギア７の内部へそのまま入射していくことになる。但し、回転軸１０と出力ギア７とは屈折率が同一か、又は出力ギア７の方が回転軸１０よりも屈折率が大きいものとする（なお、回転軸１０よりも出力ギア７の方が屈折率が小さければ、全反射する場合もあり得る）。
【００４５】
従って、本実施形態では、光源１１からの照明光として、ごく一部のレーザ光が、図７に光路Ｒ２で示すような垂直上（Ｚ）方向からずれた方向へ進行する場合には、回転軸１０の内部をそのまま漏れ出さずに上端部まで進行するのは、ａ）、ｃ）の場合であり、ｄ）、ｅ）の場合には、回転軸１０から外部へ漏れだして回転軸１０の上端部には到達しない。
【００４６】
しかしながら、本実施形態によれば、光源１１に指向性の強い面発光型半導体レーザ素子を使用しており、殆どが光路Ｒ１又はその近傍を伝搬して回転軸１０の上端部に到達するので、指針の発光効率が大きく損なわれることのない、メータ装置の照明構造を実現できる。
【００４７】
なお、本発明は上述した実施形態に何ら限定されるものではなく、その要旨を逸脱しない範囲において種々の形態で実施し得るものである。即ち、燃料計部、タコメータ部、スピードメータ部、及び水温計等の各種計器類に適用可能である。
【００４８】
また、第１の実施形態のように、回転軸の外周面と出力ギアの貫通孔との接触面積を最小限に抑える構成のものの他に、回転軸と出力ギアとの接触が予想される双方の表面部分のうち特に回転軸の外周面に、例えば照明光の透過を防止する誘電体多層膜などを被覆させるように構成して、回転軸の外部へ漏光するのを防止してもよい。
【００４９】
また、出力ギアには、その屈折率（ｎ１）が回転軸の屈折率（ｎ２）よりも小さくなるように、適宜のドーパントを形成材料に添加したり、素材自体の屈折率が高い材料を選択して形成するようにしてもよい。このような構成にすれば、双方の接触領域である界面において、全反射現象を発生させることが可能となるので、回転軸から出力ギアへの漏光を一部抑制することも可能である。
【００５０】
また、本発明の回転軸については、所定の剛性を有するように構成しつつ、内部構造的にはＰＯＦなどのようにコアとクラッドからなる複層構造のような導波路構造であってもよい。
【００５１】
また、第２の実施形態の光源には、安全上パワーが非常に小さなレーザが用いられているが、さらに安全性を考慮して、第１の実施形態と同様のＬＥＤを用いるとともに、この光源と回転軸の下端部との間には、ＬＥＤからの発散光を集光させて平行光とするフレネルレンズなどのコリメータを介在させるような構成としてもよい。
【符号の説明】
【００５２】
１  メータ装置
２  基板
３、１１  光源
４  メータケース
４Ａ  下ケース
４Ｂ  上ケース
５  モータ（ステッパモータ）
５１  ステータ
５２Ａ  回転軸
５２  ロータ
５４  コイル
５５  ロータギア
６  中間ギア
６Ａ  支軸
６１  大歯
６２  ピニオン
７  出力ギア（ギヤ）
７１  貫通孔
７２  溝
８、１０  回転軸
８１  傾斜面
８２  外周面
９  表示板
１０Ａ  内周面
【図１】
0005545946.tif 000002
【図２】
0005545946.tif 000003
【図３】
0005545946.tif 000004
【図４】
0005545946.tif 000005
【図５】
0005545946.tif 000006
【図６】
0005545946.tif 000007
【図７】
0005545946.tif 000008
【図８】
0005545946.tif 000009